(57)【要約】【課題】  デジタル画像診断装置の医用画像の真正性を好適に確保するための方法を提案する。【解決手段】  デジタル画像診断装置１の医用画像ｐを、静止画データとしてデジタル記憶媒体３に記憶する工程と、該デジタル記憶媒体３の静止画データを画像表示器４に表示して、表示された画像を撮影することにより、デジタル記憶媒体３に記憶された複数の静止画データをロール状に巻回されたマイクロネガフィルム５に順次記録する工程と、該マイクロネガフィルム５を、ロール状に巻回されたマイクロポジフィルム６に焼き付ける工程とを実行する。かかる方法により、デジタル画像診断装置１の医用画像２を、充分な画質を維持した状態でアナログ化し、狭いスペースに長期保存することが可能となる。【選択図】  図１
2006136590.tif 000002
【特許請求の範囲】
【請求項１】
デジタル画像診断装置の医用画像を、静止画データとしてデジタル記憶媒体に記憶する工程と、
該デジタル記憶媒体の静止画データを画像表示器に表示して、表示された画像を撮影することにより、デジタル記憶媒体に記憶された複数の静止画データをロール状に巻回されたマイクロネガフィルムに順次記録する工程と、
該マイクロネガフィルムを、ロール状に巻回されたマイクロポジフィルムに焼き付ける工程と
からなることを特徴とする医用画像の真正性確保方法。
【請求項２】
デジタル記憶媒体に記憶された複数の静止画データをマイクロネガフィルムに順次記録する工程において、各静止画データを記録するマイクロネガフィルムのコマに、それぞれナンバリングを行うことを特徴とする請求項１記載の医用画像の真正性確保方法。
【発明の詳細な説明】
【技術分野】
【０００１】
本発明は、医用画像の真正性を好適に確保する方法に関するものであり、特に、電子内視鏡やＭＲＩ、ＣＴ等のデジタル画像診断装置より撮影された医用画像の真正性確保方法に関する。
【背景技術】
【０００２】
近年、多くの医療機関では、電子内視鏡やＭＲＩ（磁気共鳴画像診断装置），ＣＴ（コンピュータ断層撮影装置）等のデジタル画像診断装置が導入されている。これらの装置では、撮影した医用画像はデジタル画像として得られ、デジタル記憶媒体に保存される。
【０００３】
例えば、電子内視鏡は、ＣＣＤカメラからなる電子スコープと、該電子スコープに接続された画像処理装置とを具備してなり、画像処理装置が、電子スコープから入力された信号を処理して好適なデジタル画像を作製すると共に、画像信号を随時出力し、略リアルタイムで画像をディスプレイに表示させるようになっている。そして、電子内視鏡には、通常、画像記憶装置が接続されており、この画像記憶装置が、画像処理装置が出力する画像信号を受信して、任意のタイミングの画像を静止画データとしてハードディスクや光磁気ディスク等のデジタル記憶媒体に記憶する。この静止画データには通常、患者名や撮影日なども記録されており、かかる静止画データが医療記録としてデジタル記憶媒体に保存される（例えば特許文献１）。こうした電子内視鏡の例に限らず、ほとんどの医療機関では、ＭＲＩやＣＴ、超音波診断装置等のデジタル画像診断装置で得られる静止画データはデジタル記憶媒体に記憶され、ファイリングシステム等によって電子的に管理・保存されている（例えば特許文献２）。
【０００４】
【特許文献１】特開２００４−１１３６３６号公報
【特許文献２】特開２０００−１４８８９３号公報
【発明の開示】
【発明が解決しようとする課題】
【０００５】
上述のように、デジタル画像診断装置で得られた医用画像はデジタル画像として管理されるため、閲覧・検索が容易であるといった利点がある。しかし、一方で、医用画像は、故意・過失による改変を防止し、真正性を確保した状態での保存が求められるが、デジタル画像は改ざんが容易であり、非改ざん証明が困難であるため、真正性を十分に確保し難いという欠点がある。ここで、この欠点を補うために、デジタル画像からアナログ画像を作製して、改ざん困難（非改ざん証明が容易）なアナログ画像の保存によって真正性を確保すると共に、検索・閲覧等は従来通りデジタル画像で行うことが提案される。その一つの方法として、デジタル画像を印画紙等に印刷して保存する方法があるが、印刷したアナログ画像は経時変化し易く、法定保存期間の間に画質が劣化して、真正性が失われ易いという問題がある。また、印画紙は嵩張るため保存スペースや管理の手間が大きいといった欠点もある。
【０００６】
本発明は、かかる問題の解決を試みたものであり、デジタル画像診断装置の医用画像の真正性を好適に確保する方法の提供を目的とするものである。
【課題を解決するための手段】
【０００７】
本発明は、デジタル画像診断装置の医用画像を、静止画データとしてデジタル記憶媒体に記憶する工程と、該デジタル記憶媒体の静止画データを画像表示器に表示して、表示された画像を撮影することにより、デジタル記憶媒体に記憶された複数の静止画データをロール状に巻回されたマイクロネガフィルムに順次記録する工程と、該マイクロネガフィルムを、ロール状に巻回されたマイクロポジフィルムに焼き付ける工程とからなることを特徴とする医用画像の真正性確保方法である。
【０００８】
かかる方法にあっては、まずデジタル画像診断装置の画像処理装置からの画像信号を取り込んで、必要な画像を、静止画データとしてハードディスクや光磁気ディスク等のデジタル記憶媒体に順次記憶する。この工程は、従来のデジタル画像診断装置に内蔵若しくは付属される画像記憶装置によって既に行われているものであり、本発明におけるかかる工程は従来の工程を利用して行うことができる。すなわち、かかる工程によって、デジタル記憶媒体に記憶される静止画データは、本発明の方法と並行して、ファイリングシステムにより電子的に保存・管理することが望ましい。
【０００９】
次に、デジタル記憶媒体に記憶された静止画データを、ＣＲＴディスプレイや液晶ディスプレイ等の画像表示器に表示させ、表示された画像をロール状に巻回されたマイクロネガフィルムに順次記録する。この工程によりデジタル画像である静止画データがアナログ化されてフィルムに記録されることとなる。このように医用画像をマイクロフィルムに記録することにより、データの保管場所が少なくて済み、また、医用画像に必要とされる長期間の保存を、画像を劣化させず行うことが可能となる。また、かかる工程においては、デジタル記憶媒体の複数の静止画データを、該デジタル記憶媒体に記憶した順番などの所定の順番によってロール状のフィルムに連続的に記録することにより、多数の画像を紛失することなく一括して保存できる。ここで、デジタル記憶媒体に記憶された複数の静止画データをマイクロネガフィルムに順次記録する工程においては、各静止画データを記録するマイクロネガフィルムのコマに、それぞれナンバリングを行うことが提案される。かかる場合には、シリアルナンバー等の番号を、画像を記録するフィルムの各コマに印刷・焼付けすることにより、マイクロフィルムに記録された画像の部分抽出を防止できる。
【００１０】
ところで本発明者は、デジタルデータの医用画像の真正性を確保するために、上記工程のように静止画データとして記憶された医用画像を一旦画像表示器に表示させ、これをカメラで撮影してマイクロフィルムに記録することにより、医用画像をマイクロフィルムで保存可能とする手段を想起した。しかし、かかる手法であると、画像表示器の画像をカメラで写す際に、画質の低下が避けられず、静止画データの状態では確認可能な情報が、マイクロフィルムでは確認できなくなる恐れがある。発明者は鋭意検討の結果、画像表示器に表示した画像をネガフィルムに撮影することにより、デジタル記憶媒体に記憶された静止画データを、十分な画質でマイクロフィルムに記録できることを見出しており、それ故、上記工程では、画像表示器の画像の撮影にマイクロネガフィルムを用いている。これは、ネガフィルムは、ポジフィルムに比べてラティチュードが広いため、画質が撮影条件のバラつきに左右され難く、また粒状性のよいものが存在するため、画像表示器に表示された医用画像を、ポジフィルムよりも高解像度で記録できるためと考えられる。
【００１１】
また、上記工程は、一般の画像表示器と、マイクロネガフィルム撮影用のマイクロフィルムカメラを用いて容易に実行可能であるが、撮影時の画質の劣化を可能な限り抑えるためには、画像表示器は静止画データを十分な画質で表示可能なものを使用することが望ましく、また、マイクロフィルムカメラは画像表示器の画面を撮影する専用のものを使用することが望ましい。また、ロール状に巻回されたマイクロネガフィルムは、既存の、ネガのロールフィルムを用いることができるが、上記の理由から、なるべく粒状性のよいものを使用することが望ましい。一般的な医用画像であれば、１６ｍｍのロールネガフィルムに撮影することにより、該医用画像を好適な解像度で記録可能である。
【００１２】
マイクロネガフィルムに記録された医用画像は、明るさと色が反転した陰画であり直接見読困難であるため、次に、画像を記録したマイクロネガフィルムを現像後、マイクロネガフィルムの全ての画像を、画像の編集や部分抽出をすることなく、同サイズのマイクロポジフィルムにそのまま焼き付ける。かかる工程は、映画用フィルム等において、ネガフィルムからポジフィルムを作製する工程と同様に行うことができ、これにより、見読容易な医用画像が記録されたマイクロポジフィルムを得ることができる。
【００１３】
なお、かかる真性性の確保方法は医療機関のみにより実行されるものに限らず、マイクロネガフィルムに記録する工程等の各工程を医療機関外で実行することも可能であり、かかる場合も本発明に含めるものとする。
【発明の効果】
【００１４】
以上に述べたように、本発明は、デジタル画像診断装置の医用画像を、静止画データとしてデジタル記憶媒体に記憶する工程と、該デジタル記憶媒体の静止画データを画像表示器に表示して、表示された画像を撮影することにより、デジタル記憶媒体に記憶された複数の静止画データをロール状に巻回されたマイクロネガフィルムに順次記録する工程と、該マイクロネガフィルムを、ロール状に巻回されたマイクロポジフィルムに焼き付ける工程とからなることを特徴とする医用画像の真正性確保方法であるから、かかる方法によって得られたマイクロポジフィルムを保存することで、デジタル画像診断装置の医用画像を、改ざん困難で且つ劣化し難い状態で長期間保存可能となり、かかる医用画像の真正性を好適に確保することができる。また、本発明の方法では、マイクロフィルムに記録することによって、多量のアナログ画像を狭いスペースに保存可能となるため、保存スペースも少なくて済む。さらに、本発明の方法では、ディスプレイに表示した静止画（医用画像）を、マイクロネガフィルムに撮影することで、フィルムに記録する際の画質の劣化を最低限に抑えることができる。
【００１５】
また、複数の静止画データをロール状に巻回されたフィルムに順次記録することにより、複数の画像を一括管理でき、画像の紛失や混同を防止できる。特に、デジタル記憶媒体に記憶された複数の静止画データをマイクロネガフィルムに順次記録する工程において、各静止画データを記録するマイクロネガフィルムのコマに、それぞれナンバリングを行う場合には、マイクロネガフィルムに記録した医用画像の部分抽出を確実に防止することができる。
【発明を実施するための最良の形態】
【００１６】
本発明の形態を、デジタル画像診断装置として電子内視鏡を用いた実施例に従って説明する。
【００１７】
本実施例では、まず、電子内視鏡の医用画像（電子内視鏡画像）を、静止画データとしてデジタル記憶媒体に記憶する工程を行う（図１（イ）参照）。電子内視鏡１は、ＣＣＤカメラからなる電子スコープと、該電子スコープに接続された画像処理装置とを具備してなり、画像処理装置が、電子スコープから入力された信号を処理して、適正なデジタル画像を作製すると共に、画像信号を随時出力し、略リアルタイムで画像をディスプレイ上に表示させる。かかる電子内視鏡１は既存一般のものを使用可能であり、詳細な説明は省略する。
【００１８】
上記電子内視鏡１には、画像記憶装置２（TEAC  MV-150）を接続する。この画像記憶装置２は光磁気ディスク書込装置を備え、電子内視鏡の画像処理装置の画像信号を受信して、任意のタイミングの電子内視鏡画像ｐを静止画データとしてＪＰＥＧ等のフォーマットで光磁気ディスク３に順次記憶する。通常の内視鏡画像ｐであれば、一般の光磁気ディスク（記憶容量６４０ＭＢ）に１００枚以上の医用画像を十分な解像度で記憶させることができる。
【００１９】
記憶された静止画データで光磁気ディスク３の容量が一杯となると、光磁気ディスクに記憶された静止画データをマイクロフィルムに記録するため、該光磁気ディスク３を取り出して、画像記憶装置２に新たな光磁気ディスクを挿入する（図１（ロ）参照）。ここで、光磁気ディスク３は可搬性を有するため、以下の工程は別の場所で行うことが可能である。なお、本実施例では光磁気ディスク３をデジタル記憶媒体として使用しているが、デジタル記憶媒体としては、光磁気ディスク３以外にもハードディスクやデジタルビデオディスク（ＤＶＤ）等を使用可能である。また、静止画データは、複製や通信回線による送信が可能であるが、真正性を確保する観点から、マイクロフィルムに記録する静止画データは、本実施例のように専用の画像記憶装置で記録したオリジナルのデータを用いることが望ましい。
【００２０】
次に、光磁気ディスク３に記憶された静止画データを画像表示器４に表示して、表示された画像を撮影し、ロール状に巻回されたマイクロネガフィルム５に記録する工程を行う（図１（ハ）参照）。画像表示器４は高精細ＣＲＴディスプレイを使用する。この画像表示器４に光磁気ディスク読取装置を接続し、画像表示器４の画面上に光磁気ディスク３に記憶された静止画データを表示させる。光磁気ディスク読取装置には、光磁気ディスク読取機能を備えた前記画像記憶装置（TEAC  MV-150）を使用する。また、画像表示器４の画面と対向する位置に、マイクロフィルムカメラ（図示省略）を固定し、画像表示器４に表示された静止画（電子内視鏡画像）を該マイクロフィルムカメラで撮影する。マイクロネガフィルム５は、リール７にロール状に巻回された低感度の１６ｍｍネガカラーフィルムを使用する。なお、通常の電子内視鏡画像ｐを、画質を好適に維持した状態でマイクロフィルムに記録するには、ＩＳＯ感度が３〜２０の範囲内で、かつ粒状度が３〜８の範囲内のマイクロネガフィルムを使用することが望ましい。また、１６ｍｍのマイクロフィルムに限らず３５ｍｍのマイクロフィルムも使用可能である。
【００２１】
ここで、静止画データをマイクロネガフィルム５に記録する工程では、光磁気ディスク３に記憶された複数の静止画データを、光磁気ディスクに記録された時系列順に画像表示器４に表示し、表示された静止画（電子内視鏡画像ｐ）を、マイクロネガフィルム５の長尺方向に沿って、順番に撮影する。さらに、撮影時には、マイクロネガフィルム５の静止画データを記録する各コマにシリアルナンバー８（図２参照）を焼き付けてナンバリングを行う。シリアルナンバー８の焼付けは、既存のマイクロフィルムカメラに付属する機能によって行うことができる。なお、図２において、電子内視鏡画像ｐの脇に印字される医師名、患者名、撮影日等の文字情報は、マイクロネガフィルム５の撮影時に追加されるものでなく、画像記憶装置２によって予め静止画データに書き込まれるものであり、電子内視鏡画像ｐの一部である。また、本実施例のマイクロネガフィルム５は、長さ１００フィートのものを用いる。このマイクロネガフィルム５には約２４００枚の電子内視鏡画像ｐを記録可能であり、平均的な内視鏡検査であれば、患者１２０名分の検査画像を記録することができる。そして、このマイクロネガフィルム５は、リール７に巻回することにより、１０ｃｍ×１０ｃｍ×３ｃｍ程度のスペースに収納可能であるため、本実施例の方法では、かかるスペースに多数の内視鏡画像ｐを記録・保存することが可能となる。
【００２２】
そして、電子内視鏡画像ｐを記録したマイクロネガフィルム５を現像した後に、該マイクロネガフィルム５の電子内視鏡画像ｐを、マイクロポジフィルム６に焼き付ける工程を行う（図１（ニ）参照）。かかる工程では、マイクロネガフィルム５に記録された全ての電子内視鏡画像ｐを、部分削除や編集をすることなく、マイクロポジフィルム６にそのまま反転焼付けを行うものであり、映画撮影用のネガフィルムをポジフィルムに焼き付けるのと同様の方法によって実行可能である。この工程によって得られるマイクロポジフィルム６には、図２に示すように、電子内視鏡画像ｐが見読容易な陽画の状態で記録されると共に、マイクロネガフィルム５に記録されたシリアルナンバー８が反転焼付けされることとなる。なお、マイクロポジフィルム６は、マイクロネガフィルム５と同形状のものを用いる。すなわち本実施例では、ロール状に巻回された１６ｍｍマイクロポジフィルム（長さ１００フィート）を使用する。このマイクロポジフィルム６にあっても、粒状性のよいものを使用することにより、マイクロポジフィルム６に記録する電子内視鏡画像ｐの画質劣化を抑えることができる。
【００２３】
このように、本実施例の電子内視鏡画像の真正性確保方法では、電子内視鏡画像ｐ（医用画像）を、経時変化し難いマイクロポジフィルム６に好適な解像度で記録することができるため、かかるマイクロポジフィルム６を保存することで、電子内視鏡画像ｐを、改ざん困難な状態で長期間保存することが可能となり、確実かつ効率的に電子内視鏡画像ｐの真正性を確保することができる。特に、電子内視鏡画像ｐを上記のようにロール状に巻回したマイクロフィルムに記録することによって、多量のアナログ画像を狭いスペースに保存可能となり、保存スペースも少なくて済む。また、光磁気ディスク３に静止画データとして記憶された電子内視鏡画像ｐをマイクロフィルムに記録する際に、ポジフィルムではなく、ネガフィルムに撮影することによって、フィルムに撮影する際の画質の劣化を最低限に抑えることができる。また、複数の電子内視鏡画像ｐをロール状に巻回されたマイクロフィルムに順次記録すると共に、画像を記録する一コマ毎にナンバリングすることにより、画像の部分抽出などの改ざんを防止できると共に、画像の混同や紛失を防止できる。
【００２４】
尚、本発明の医用画像の真正性確保方法は、上述した実施の形態に限定されるものではなく、本発明の要旨を逸脱しない範囲内において種々変更を加え得ることは勿論である。例えば、実施例はデジタル画像診断装置として電子内視鏡を用いた例であるが、本発明は、ＭＲＩやＣＴ、超音波診断装置など、検査画像がデジタル画像として得られるデジタル画像診断装置の医用画像に対して広く適用可能である。また、画像記憶装置に関しても、上記実施例で使用した装置に限らず、別の装置を用いることもできる。また、一般的にデジタル画像診断装置を使用する場所は医療機関であるが、静止画データをマイクロネガフィルムに記録する工程などは、専用の撮影所で行うことも可能である。さらに言えば、デジタル記憶媒体に記憶した静止画データは、本発明の真正性確保方法に用いるのと並行して、ファイリングシステムによって保存・管理を行うことも可能である。また、本発明の方法にあっては、得られたマイクロポジフィルムを保存することにより、医用画像の真正性を好適に確保することができるが、マイクロポジフィルム作製の基となったマイクロネガフィルムを併せて保存しても構わない。また、実施例では電子内視鏡画像ｐを、マイクロフィルム６の長尺方向に沿って横並びに記録しているが、図３に示すように、マイクロフィルム６’の長尺方向に沿って縦並びに記録することも可能である。
【図面の簡単な説明】
【００２５】
【図１】実施例の電子内視鏡画像ｐの真正性確保方法の概略を示す説明図（イ）〜（ニ）である。
【図２】マイクロポジフィルム６における電子内視鏡画像ｐの記録状態を示す説明図である。
【図３】別のマイクロポジフィルム６’における電子内視鏡画像ｐの記録状態を示す説明図である。
【符号の説明】
【００２６】
１  電子内視鏡（デジタル画像診断装置）
２  画像記憶装置
３  光磁気ディスク（デジタル記憶媒体）
４  画像表示器
５  マイクロネガフィルム
６，６’  マイクロポジフィルム
７  リール
８  シリアルナンバー
ｐ  電子内視鏡画像（医用画像）
【図１】
2006136590.tif 000003
【図２】
2006136590.tif 000004
【図３】
2006136590.tif 000005